(57)【特許請求の範囲】
【請求項１】
主走査方向に列状に配される発光素子からなる第１の発光素子列と、
前記主走査方向に列状に配される発光素子からなり、前記第１の発光素子列の少なくとも一部において当該主走査方向と交差する副走査方向に重複するとともに、当該第１の発光素子列と重複する箇所において、当該第１の発光素子列に属する発光素子の間隔より大きい間隔で配された第２の発光素子列と、
前記主走査方向に列状に配される発光素子からなり、前記第１の発光素子列の少なくとも一部において前記副走査方向に重複するとともに、当該第１の発光素子列と重複する箇所において、当該第１の発光素子列に属する発光素子の間隔より小さい間隔で配された第３の発光素子列とを備える発光部と、
前記発光素子の光出力を結像させて像保持体を露光し静電潜像を形成させる光学素子と、
前記第１の発光素子列に属する発光素子が前記主走査方向において予め定められた位置より負側に配列された箇所では、前記第２の発光素子列に属する発光素子が当該第２の発光素子列に重複して配された当該第１の発光素子列に属する発光素子の代わりに選択され、当該主走査方向において予め定められた位置より正側に配列された箇所では、前記第３の発光素子列に属する発光素子が当該第３の発光素子列に重複して配された当該第１の発光素子列に属する発光素子の代わりに選択されるとともに、受信した画像データが欠落及び重複することなく指定されるように設定するデータを記憶する記憶部と
を備える発光素子ヘッド。
【請求項２】
前記第１の発光素子列と前記第２の発光素子列とが重複する箇所の発光素子は、当該第１の発光素子列に属する発光素子と当該第２の発光素子列に属する発光素子とで予め定められた第１の整数比による個数で配され、当該第１の発光素子列と前記第３の発光素子列とが重複する箇所の発光素子は、当該第１の発光素子列に属する発光素子と当該第３の発光素子列に属する発光素子とで予め定められた第２の整数比による個数で配されることを特徴とする請求項１に記載の発光素子ヘッド。
【請求項３】
前記発光部は、
発光素子が列状に連続して配され、前記第１の発光素子列の一部を構成する第１の発光素子群と、
発光素子が列状に連続して配され、前記第１の発光素子群の一端部側に当該第１の発光素子群に属する発光素子の配される間隔より大きい間隔にて配され、前記第２の発光素子列の一部を構成する第２の発光素子群と、
発光素子が列状に連続して配され、前記第１の発光素子群の他端部側に当該第１の発光素子群に属する発光素子の配される間隔より小さい間隔にて配され、前記第３の発光素子列の一部を構成する第３の発光素子群と
を有する発光チップを複数備えることを特徴とする請求項１または２に記載の発光素子ヘッド。
【請求項４】
像保持体と、
前記像保持体を帯電する帯電手段と、
主走査方向に列状に配される発光素子からなる第１の発光素子列と、当該主走査方向に列状に配される発光素子からなり、当該第１の発光素子列の少なくとも一部において当該主走査方向に交差する副走査方向に重複するとともに、当該第１の発光素子列と重複する箇所において、当該第１の発光素子列に属する発光素子の間隔より大きい間隔で配された第２の発光素子列と、当該主走査方向に列状に配される発光素子からなり、当該第１の発光素子列の少なくとも一部において当該副走査方向に重複するとともに、当該第１の発光素子列と重複する箇所において、当該第１の発光素子列に属する発光素子の間隔より小さい間隔で配された第３の発光素子列とを備える発光部と、当該発光素子の光出力を結像させて前記像保持体を露光し静電潜像を形成させる光学素子と、当該第１の発光素子列に属する発光素子が当該主走査方向において予め定められた位置より負側に配列された箇所では、当該第２の発光素子列に属する発光素子が当該第２の発光素子列に重複して配された当該第１の発光素子列に属する発光素子の代わりに選択され、当該主走査方向において予め定められた位置より正側に配列された箇所では、当該第３の発光素子列に属する発光素子が当該第３の発光素子列に重複して配された当該第１の発光素子列に属する発光素子の代わりに選択されるとともに、受信した画像データが欠落及び重複することなく指定されるように設定するデータを記憶する記憶部とを備えた露光手段と、
前記記憶部に記憶された前記データを読み出し、前記第１の発光素子列に属する発光素子が、前記主走査方向において予め定められた位置より負側に配された箇所では、前記第２の発光素子列に属する発光素子を当該第２の発光素子列に重複して配された当該第１の発光素子列に属する発光素子の代わりに選択し、当該第１の発光素子列に属する発光素子が当該主走査方向において予め定められた位置より正側に配された箇所では、前記第３の発光素子列に属する発光素子を当該第３の発光素子列に重複して配された当該第１の発光素子列に属する発光素子の代わりに選択するとともに、受信した前記画像データを欠落及び重複することなく指定するように制御する制御手段と、
前記露光手段により露光され前記像保持体に形成された静電潜像を現像する現像手段と、
前記像保持体に現像された画像を被転写体に転写する転写手段と
を備えた画像形成装置。
【請求項５】
像保持体と、
前記像保持体を帯電する帯電手段と、
主走査方向に列状に配される発光素子からなる第１の発光素子列と、当該主走査方向に列状に配される発光素子からなり、当該第１の発光素子列の少なくとも一部において当該主走査方向に交差する副走査方向に重複するとともに、当該第１の発光素子列と重複する箇所において、当該第１の発光素子列に属する発光素子の間隔より大きい間隔で配された第２の発光素子列と、当該主走査方向に列状に配される発光素子からなり、当該第１の発光素子列の少なくとも一部において当該副走査方向に重複するとともに、当該第１の発光素子列と重複する箇所において、当該第１の発光素子列に属する発光素子の間隔より小さい間隔で配された第３の発光素子列とを備える発光部と、当該発光素子の光出力を結像させて前記像保持体を露光し静電潜像を形成させる光学素子と、当該第１の発光素子列に属する発光素子が当該主走査方向において予め定められた位置より負側に配列された箇所では、当該第２の発光素子列に属する発光素子が当該第２の発光素子列に重複して配された当該第１の発光素子列に属する発光素子の代わりに選択され、当該主走査方向において予め定められた位置より正側に配列された箇所では、当該第３の発光素子列に属する発光素子が当該第３の発光素子列に重複して配された当該第１の発光素子列に属する発光素子の代わりに選択されるように指定するデータを記憶する記憶部とを備えた露光手段と、
前記記憶部に記憶された前記データを読み出し、前記第１の発光素子列に属する発光素子が、前記主走査方向において予め定められた位置より負側に配された箇所では、前記第２の発光素子列に属する発光素子を当該第２の発光素子列に重複して配された当該第１の発光素子列に属する発光素子の代わりに選択し、当該第１の発光素子列に属する発光素子が当該主走査方向において予め定められた位置より正側に配された箇所では、前記第３の発光素子列に属する発光素子を当該第３の発光素子列に重複して配された当該第１の発光素子列に属する発光素子の代わりに選択するように制御する制御手段と、
前記露光手段により露光され前記像保持体に形成された静電潜像を現像する現像手段と、
前記像保持体に現像された画像を被転写体に転写する転写手段と、を備え、
前記転写手段は、前記主走査方向における画像の伸び縮みを検知する検知器をさらに備え、
前記制御手段は、検知された前記画像が前記主走査方向において縮んでいる場合には、前記第２の発光素子列に属する発光素子を当該第２の発光素子列に属する発光素子と重複して配された前記第１の発光素子列に属する発光素子の代わりに選択し、当該主走査方向に伸びている場合には、前記第３の発光素子列に属する発光素子を当該第３の発光素子列に属する発光素子と重複して配された当該第１の発光素子列に属する発光素子の代わりに選択するようにさらに制御することを特徴とする画像形成装置。
【発明の詳細な説明】
【技術分野】
【０００１】
本発明は、発光素子ヘッドおよび画像形成装置に関する。
【背景技術】
【０００２】
電子写真方式を採用した、プリンタや複写機、ファクシミリ等の画像形成装置では、一様に帯電された感光体上に、画像情報を光記録手段によって照射することにより静電潜像を得た後、この静電潜像にトナーを付加して可視化し、記録紙上に転写して定着することによって画像形成が行なわれる。かかる光記録手段として、レーザを用いて主走査方向にレーザ光を走査させて露光する光走査方式の他、近年では、ＬＥＤ（Ｌｉｇｈｔ  Ｅｍｉｔｔｉｎｇ  Ｄｉｏｄｅ：発光ダイオード）アレイ光源を主走査方向に多数、配列してなるＬＥＤヘッドを用いた光記録手段が採用されている。
【０００３】
特許文献１には、発光素子を主走査方向にライン上に配列した書込ユニットを色ごとに備え、色ごとの画像データに基づいた画像を重畳してカラー画像を形成する画像形成装置であって、前記発光素子列の解像度仕様が第１の解像度である第１の書込ユニットと、前記発行素子列の解像度仕様が第２の解像度である第２の書込ユニットと、前記第１の解像度と第２の解像度とに基づいて、前記第１または第２の書込ユニットに対応する色の画像データにおける前記主走査方向の変倍率を設定する倍率設定部と、前記設定された変倍率に基づいて、前記画像データを主走査方向に変倍する変倍部とを備える画像形成装置が開示されている。
【先行技術文献】
【特許文献】
【０００４】
【特許文献１】特開２００８−１４１７３０号公報
【発明の概要】
【発明が解決しようとする課題】
【０００５】
本発明の目的は、形成される画像の乱れを抑制しつつ、形成される画像の主走査方向における位置ずれを補正できる発光素子ヘッド等を提供することにある。
【課題を解決するための手段】
【０００６】
請求項１に記載の発明は、主走査方向に列状に配される発光素子からなる第１の発光素子列と、前記主走査方向に列状に配される発光素子からなり、前記第１の発光素子列の少なくとも一部において当該主走査方向と交差する副走査方向に重複するとともに、当該第１の発光素子列と重複する箇所において、当該第１の発光素子列に属する発光素子の間隔より大きい間隔で配された第２の発光素子列と、前記主走査方向に列状に配される発光素子からなり、前記第１の発光素子列の少なくとも一部において前記副走査方向に重複するとともに、当該第１の発光素子列と重複する箇所において、当該第１の発光素子列に属する発光素子の間隔より小さい間隔で配された第３の発光素子列とを備える発光部と、前記発光素子の光出力を結像させて像保持体を露光し静電潜像を形成させる光学素子と、前記第１の発光素子列に属する発光素子が前記主走査方向において予め定められた位置より負側に配列された箇所では、前記第２の発光素子列に属する発光素子が当該第２の発光素子列に重複して配された当該第１の発光素子列に属する発光素子の代わりに選択され、当該主走査方向において予め定められた位置より正側に配列された箇所では、前記第３の発光素子列に属する発光素子が当該第３の発光素子列に重複して配された当該第１の発光素子列に属する発光素子の代わりに選択されるとともに、受信した画像データが欠落及び重複することなく指定されるように設定するデータを記憶する記憶部とを備える発光素子ヘッドである。
請求項２に記載の発明は、前記第１の発光素子列と前記第２の発光素子列とが重複する箇所の発光素子は、当該第１の発光素子列に属する発光素子と当該第２の発光素子列に属する発光素子とで予め定められた第１の整数比による個数で配され、当該第１の発光素子列と前記第３の発光素子列とが重複する箇所の発光素子は、当該第１の発光素子列に属する発光素子と当該第３の発光素子列に属する発光素子とで予め定められた第２の整数比による個数で配されることを特徴とする請求項１に記載の発光素子ヘッドである。
請求項３に記載の発明は、前記発光部は、発光素子が列状に連続して配され、前記第１の発光素子列の一部を構成する第１の発光素子群と、発光素子が列状に連続して配され、前記第１の発光素子群の一端部側に当該第１の発光素子群に属する発光素子の配される間隔より大きい間隔にて配され、前記第２の発光素子列の一部を構成する第２の発光素子群と、発光素子が列状に連続して配され、前記第１の発光素子群の他端部側に当該第１の発光素子群に属する発光素子の配される間隔より小さい間隔にて配され、前記第３の発光素子列の一部を構成する第３の発光素子群とを有する発光チップを複数備えることを特徴とする請求項１または２に記載の発光素子ヘッドである。
請求項４に記載の発明は、像保持体と、前記像保持体を帯電する帯電手段と、主走査方向に列状に配される発光素子からなる第１の発光素子列と、当該主走査方向に列状に配される発光素子からなり、当該第１の発光素子列の少なくとも一部において当該主走査方向に交差する副走査方向に重複するとともに、当該第１の発光素子列と重複する箇所において、当該第１の発光素子列に属する発光素子の間隔より大きい間隔で配された第２の発光素子列と、当該主走査方向に列状に配される発光素子からなり、当該第１の発光素子列の少なくとも一部において当該副走査方向に重複するとともに、当該第１の発光素子列と重複する箇所において、当該第１の発光素子列に属する発光素子の間隔より小さい間隔で配された第３の発光素子列とを備える発光部と、当該発光素子の光出力を結像させて前記像保持体を露光し静電潜像を形成させる光学素子と、当該第１の発光素子列に属する発光素子が当該主走査方向において予め定められた位置より負側に配列された箇所では、当該第２の発光素子列に属する発光素子が当該第２の発光素子列に重複して配された当該第１の発光素子列に属する発光素子の代わりに選択され、当該主走査方向において予め定められた位置より正側に配列された箇所では、当該第３の発光素子列に属する発光素子が当該第３の発光素子列に重複して配された当該第１の発光素子列に属する発光素子の代わりに選択されるとともに、受信した画像データが欠落及び重複することなく指定されるように設定するデータを記憶する記憶部とを備えた露光手段と、前記記憶部に記憶された前記データを読み出し、前記第１の発光素子列に属する発光素子が、前記主走査方向において予め定められた位置より負側に配された箇所では、前記第２の発光素子列に属する発光素子を当該第２の発光素子列に重複して配された当該第１の発光素子列に属する発光素子の代わりに選択し、当該第１の発光素子列に属する発光素子が当該主走査方向において予め定められた位置より正側に配された箇所では、前記第３の発光素子列に属する発光素子を当該第３の発光素子列に重複して配された当該第１の発光素子列に属する発光素子の代わりに選択するとともに、受信した前記画像データを欠落及び重複することなく指定するように制御する制御手段と、前記露光手段により露光され前記像保持体に形成された静電潜像を現像する現像手段と、前記像保持体に現像された画像を被転写体に転写する転写手段とを備えた画像形成装置である。
請求項５に記載の発明は、像保持体と、前記像保持体を帯電する帯電手段と、主走査方向に列状に配される発光素子からなる第１の発光素子列と、当該主走査方向に列状に配される発光素子からなり、当該第１の発光素子列の少なくとも一部において当該主走査方向に交差する副走査方向に重複するとともに、当該第１の発光素子列と重複する箇所において、当該第１の発光素子列に属する発光素子の間隔より大きい間隔で配された第２の発光素子列と、当該主走査方向に列状に配される発光素子からなり、当該第１の発光素子列の少なくとも一部において当該副走査方向に重複するとともに、当該第１の発光素子列と重複する箇所において、当該第１の発光素子列に属する発光素子の間隔より小さい間隔で配された第３の発光素子列とを備える発光部と、当該発光素子の光出力を結像させて前記像保持体を露光し静電潜像を形成させる光学素子と、当該第１の発光素子列に属する発光素子が当該主走査方向において予め定められた位置より負側に配列された箇所では、当該第２の発光素子列に属する発光素子が当該第２の発光素子列に重複して配された当該第１の発光素子列に属する発光素子の代わりに選択され、当該主走査方向において予め定められた位置より正側に配列された箇所では、当該第３の発光素子列に属する発光素子が当該第３の発光素子列に重複して配された当該第１の発光素子列に属する発光素子の代わりに選択されるように指定するデータを記憶する記憶部とを備えた露光手段と、前記記憶部に記憶された前記データを読み出し、前記第１の発光素子列に属する発光素子が、前記主走査方向において予め定められた位置より負側に配された箇所では、前記第２の発光素子列に属する発光素子を当該第２の発光素子列に重複して配された当該第１の発光素子列に属する発光素子の代わりに選択し、当該第１の発光素子列に属する発光素子が当該主走査方向において予め定められた位置より正側に配された箇所では、前記第３の発光素子列に属する発光素子を当該第３の発光素子列に重複して配された当該第１の発光素子列に属する発光素子の代わりに選択するように制御する制御手段と、前記露光手段により露光され前記像保持体に形成された静電潜像を現像する現像手段と、前記像保持体に現像された画像を被転写体に転写する転写手段と、を備え、前記転写手段は、前記主走査方向における画像の伸び縮みを検知する検知器をさらに備え、前記制御手段は、検知された前記画像が前記主走査方向において縮んでいる場合には、前記第２の発光素子列に属する発光素子を当該第２の発光素子列に属する発光素子と重複して配された前記第１の発光素子列に属する発光素子の代わりに選択し、当該主走査方向に伸びている場合には、前記第３の発光素子列に属する発光素子を当該第３の発光素子列に属する発光素子と重複して配された当該第１の発光素子列に属する発光素子の代わりに選択するようにさらに制御することを特徴とする画像形成装置である。
【発明の効果】
【０００７】
請求項１の発明によれば、第２の発光素子列および第３の発光素子列を用いない場合に比較して、形成される画像の乱れを抑制しつつ、形成される画像の主走査方向における位置ずれが補正できる。
請求項２の発明によれば、本構成を採用しない場合に比較して、位置ずれを抑制する制御がより容易になる。
請求項３の発明によれば、本構成を採用しない場合に比較して、発光部をより容易に構成できる。
請求項４の発明によれば、本構成を採用しない場合に比較して、位置ずれをより抑制した画像形成ができる。
請求項５の発明によれば、本構成を採用しない場合に比較して、動作中に発生する位置ずれを抑制できる。
【図面の簡単な説明】
【０００８】
【図１】本実施の形態が適用される画像形成装置の全体構成の一例を示した図である。
【図２】本実施の形態が適用される発光素子ヘッドの構成を示した図である。
【図３】発光素子ヘッドにおける回路基板および発光部の上面図である。
【図４】本実施の形態が適用される発光チップの構成を説明した図である。
【図５】発光チップとして自己走査型発光素子アレイチップを採用した場合の信号発生回路の構成および回路基板の配線構成を示した図である。
【図６】発光チップの回路構成を説明するための図である。
【図７】主走査方向において、形成された画素（ドット）が位置ずれを生じる要因を説明した図である。
【図８】本実施の形態で使用する発光チップにおける発光サイリスタの配列および隣接する発光チップの関係の一例を説明した図である。
【図９】倍率補正が縮小である（倍率が１より小さい）場合を説明した図である。
【図１０】倍率補正が拡大である（倍率が１より大きい）場合を説明した図である。
【図１１】倍率補正を用いた位置ずれ補正を模式的に説明した図である。
【図１２】発光チップの発光サイリスタを駆動するための信号発生回路および補正データ記憶部を説明した図である。
【図１３】発光チップの発光サイリスタの動作を説明するタイミングチャートである。
【図１４】本実施の形態が適用される発光チップにおける発光サイリスタの配列および隣接する発光チップの関係の他の一例を説明した図である。
【図１５】画像形成装置の感光体ドラム、発光素子ヘッド、用紙搬送ベルト、駆動ロール、転写ロールの部分を説明した斜視図である。
【図１６】位置ずれ補正の一例を説明した図である。
【図１７】位置ずれ補正の他の一例を説明した図である。
【発明を実施するための形態】
【０００９】
以下、添付図面を参照して、本発明の実施の形態について詳細に説明する。
［第１の実施の形態］
＜画像形成装置１＞
図１は本実施の形態が適用される画像形成装置１の全体構成の一例を示した図である。
図１に示す画像形成装置１は、一般にタンデム型と呼ばれる画像形成装置である。この画像形成装置１は、各色の画像データに対応して画像形成を行なう画像形成プロセス部１０、画像形成プロセス部１０を制御する画像出力制御部３０、例えばパーソナルコンピュータ（ＰＣ）２や画像読取装置３に接続され、これらから受信された画像データに対して予め定められた画像処理を施す画像処理部４０を備えている。
【００１０】
画像形成プロセス部１０は、一定の間隔を置いて並列的に配置される複数のエンジンからなる画像形成ユニット１１を備えている。この画像形成ユニット１１は、４つの画像形成ユニット１１Ｙ、１１Ｍ、１１Ｃ、１１Ｋから構成されている。画像形成ユニット１１Ｙ、１１Ｍ、１１Ｃ、１１Ｋは、それぞれ、静電潜像を形成してトナー像を保持する像保持体の一例としての感光体ドラム１２、感光体ドラム１２の表面に塗布された感光体を予め定められた電位で帯電する帯電手段の一例としての帯電器１３、帯電器１３によって帯電された感光体を露光し静電潜像を形成する発光素子ヘッド１４、発光素子ヘッド１４によって形成された静電潜像を現像する現像手段の一例としての現像器１５を備えている。ここで、各画像形成ユニット１１Ｙ、１１Ｍ、１１Ｃ、１１Ｋは、現像器１５に収納されたトナーを除いて、構成に違いはない。そして、画像形成ユニット１１Ｙ、１１Ｍ、１１Ｃ、１１Ｋは、それぞれがイエロー（Ｙ）、マゼンタ（Ｍ）、シアン（Ｃ）、黒（Ｋ）のトナー像を形成する。
また、画像形成プロセス部１０は、各画像形成ユニット１１Ｙ、１１Ｍ、１１Ｃ、１１Ｋの感光体ドラム１２にて形成された各色のトナー像を被転写体の一例としての記録用紙に多重転写させるために、この記録用紙を搬送する用紙搬送ベルト２１と、用紙搬送ベルト２１を駆動させるロールである駆動ロール２２と、感光体ドラム１２のトナー像を記録用紙に転写させる転写手段の一例としての転写ロール２３と、記録用紙にトナー像を定着させる定着手段の一例としての定着器２４とを備えている。
【００１１】
この画像形成装置１において、画像形成プロセス部１０は、画像出力制御部３０から供給される各種の制御信号に基づいて画像形成動作を行う。そして、画像出力制御部３０による制御の下で、パーソナルコンピュータ（ＰＣ）２や画像読取装置３から受信された画像データは、画像処理部４０によって画像処理が施され、画像形成ユニット１１に供給される。そして、例えば黒（Ｋ）色の画像形成ユニット１１Ｋでは、感光体ドラム１２が矢印Ａ方向に回転しながら、帯電器１３により予め定められた電位に帯電され、画像処理部４０から供給された画像データに基づいて発光する発光素子ヘッド１４により露光される。これにより、感光体ドラム１２上には、黒（Ｋ）色画像に関する静電潜像が形成される。そして、感光体ドラム１２上に形成された静電潜像は現像器１５により現像され、感光体ドラム１２上には黒（Ｋ）色のトナー像が形成される。同様に、画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００１２】
各画像形成ユニット１１で形成された感光体ドラム１２上の各色トナー像は、矢印Ｂ方向に移動する用紙搬送ベルト２１の移動に伴って供給された記録用紙に、転写ロール２３に印加された転写電界により、順次静電転写され、記録用紙上に各色トナーが重畳された合成トナー像が形成される。
その後、合成トナー像が静電転写された記録用紙は、定着器２４まで搬送される。定着器２４に搬送された記録用紙上の合成トナー像は、定着器２４によって熱および圧力による定着処理を受けて記録用紙上に定着され、画像形成装置１から排出される。
【００１３】
＜発光素子ヘッド１４＞
図２は、本実施の形態が適用される発光素子ヘッド１４の構成を示した図である。露光手段の一例としての発光素子ヘッド１４は、ハウジング６１と、発光素子の一例としてのＬＥＤ７１（後述する図４参照）を複数備えた発光部６３と、発光部６３や信号発生回路１００、補正データ記憶部１１１（後述の図３参照）等を搭載する回路基板６２と、ＬＥＤ７１から出射された光出力を結像させて感光体ドラム１２を露光し静電潜像を形成させるための光学素子の一例としてのロッドレンズ（径方向屈折率分布型レンズ）アレイ６４とを備えている。
なお、回路基板６２が信号発生回路１００および／または補正データ記憶部１１１を搭載していなくともよい。このときは、信号発生回路１００および／または補正データ記憶部１１１は、回路基板６２の外部に設けられ、発光部６３を制御する制御信号などを、ケーブルなどを介して供給する。ここでは、回路基板６２上に信号発生回路１００および補正データ記憶部１１１が搭載されているとして説明する。
【００１４】
ハウジング６１は、例えば金属で形成され、回路基板６２およびロッドレンズアレイ６４を支持し、発光部６３のそれぞれの発光素子において光を出射する発光面とロッドレンズアレイ６４の焦点面とが一致するように設定されている。また、ロッドレンズアレイ６４は、感光体ドラム１２の軸方向（主走査方向）に沿って配置されている。
【００１５】
＜発光部６３＞
図３は、発光素子ヘッド１４における回路基板６２および発光部６３の上面図である。
図３に示すように、発光部６３は、回路基板６２上に、６０個の発光チップＣ１〜Ｃ６０を、主走査方向（Ｘ方向）に二列に向かい合わせて千鳥状に配置して構成されている。発光チップＣ１〜Ｃ６０の構成は同じであっても、異なっていてもよい。ここでは、発光チップＣ１〜Ｃ６０は同じであるとして説明する。発光チップＣ１〜Ｃ６０をそれぞれ区別しないときは、発光チップＣまたは発光チップＣ（Ｃ１〜６０）と表記する。なお、主走査方向（Ｘ方向）に直交するＹ方向は、副走査方向である。
さらに、回路基板６２は、発光チップＣの発光を制御する制御手段の一例としての信号発生回路１００、補正データ（データ）を保持する記憶部の一例としての補正データ記憶部１１１を搭載している。
【００１６】
＜発光チップＣ＞
図４は、本実施の形態が適用される発光チップＣの構成を説明した図である。
図４（ａ）は、発光チップＣをＬＥＤ７１（本実施の形態では発光サイリスタＬ）の光を出射する方向から見た図である。また図４（ｂ）は、図４（ａ）のＩＶｂ−ＩＶｂ線での断面図である。
発光チップＣは、基板７０上に主走査方向に列状に配される複数のＬＥＤ７１（発光素子）が直線状に等間隔で配された発光素子アレイ８１を備えている。また基板７０の両端部に発光素子アレイ８１を駆動する信号を入出力するためのボンディングパッドである電極部（Ｖｃｃ端子、φ１端子、φ２端子、φＳ端子、φＩ端子）を備えている。ここでは、基板７０の左端部に、Ｖｃｃ端子、φ１端子が設けられている。基板７０の右端部に、φ２端子、φＳ端子、φＩ端子が設けられている。発光素子アレイ８１は、φ１端子とφ２端子との間に配されている。
そして、図４（ｂ）に示すように、それぞれのＬＥＤ７１には光が出射する側にマイクロレンズ７３が形成されている。このマイクロレンズ７３により、ＬＥＤ７１から出射した光が集光され、感光体ドラム１２（図２参照）に対して、効率よく光を入射させる。
このマイクロレンズ７３は、光硬化性樹脂等の透明樹脂からなり、より効率よく光を集光するためその表面は非球面形状をとることが好ましい。また、マイクロレンズ７３の大きさ、厚さ、焦点距離等は、使用されるＬＥＤ７１の波長、使用される光硬化性樹脂の屈折率等により決定される。
なお、発光チップＣの基板７０の裏面にはＧＮＤ端子を構成する裏面電極が設けられている。
【００１７】
なお、「列状」とは、図４（ａ）に示したように複数の発光素子（ＬＥＤ７１）が一直線上に配置されている場合に限らず、複数の発光素子のそれぞれの発光素子が、列方向と直交する方向に対して、互いに異なるずれ量を有して配置されている状態でもよい。例えば、発光素子の光を発生する部分である発光面を画素としたとき、それぞれの発光素子が、列方向と直交する方向に数画素分または数十画素分のずれ量をもって配置されていてもよい。また、隣接する発光素子間で交互に、または複数の発光素子毎に、ジグザグに配置されていてもよい。
【００１８】
以上説明したように、ＬＥＤ７１から出射した光がマイクロレンズ７３で集光され、ロッドレンズアレイ６４を介して、感光体ドラム１２を露光し静電潜像を形成する。そして、静電潜像により、用紙搬送ベルト２１上に画像が形成され、記録用紙に転写される。ここでは、１つのＬＥＤ７１から出射した光により、用紙搬送ベルト２１上または記録用紙上に形成された画像を画素（ドット）と呼ぶ。
【００１９】
本実施の形態では、発光チップＣとして自己走査型発光素子アレイ（ＳＬＥＤ：Ｓｅｌｆ−Ｓｃａｎｎｉｎｇ  Ｌｉｇｈｔ  Ｅｍｉｔｔｉｎｇ  Ｄｅｖｉｃｅ）を搭載したチップ（ＳＬＥＤチップ）を使用するのが好ましい。ＳＬＥＤチップは、ＬＥＤ７１として、ｐｎｐｎ構造を持つ発光サイリスタ（後述する発光サイリスタＬ１〜Ｌ６５）を用い、発光サイリスタＬ１〜Ｌ６５を順次発光させる自己走査機能を有している。
【００２０】
図５は、発光チップＣとして自己走査型発光素子アレイ（ＳＬＥＤ）チップを採用した場合の信号発生回路１００の構成および回路基板６２の配線構成を示した図である。
信号発生回路１００には、画像出力制御部３０（図１参照）より、ライン同期信号Ｌｓｙｎｃ、画像データＶｄａｔａ、クロック信号ｃｌｋ、およびリセット信号ＲＳＴ等の各種制御信号が入力されるようになっている。そして、信号発生回路１００は、これらの各種制御信号に基づいて、例えば画像データＶｄａｔａの並べ替えや出力値の補正等を行い、各発光チップＣ１〜Ｃ６０に対してそれぞれ発光信号φＩ１〜φＩ６０を出力する。ここで、発光信号φＩ１〜φＩ６０をそれぞれ区別しないときは、発光信号φＩまたは発光信号φＩ（φＩ１〜φＩ６０）と表記する。
本実施の形態では、各発光チップＣ（Ｃ１〜Ｃ６０）のφＩ端子に、個別に発光信号φＩ（φＩ１〜φＩ６０）が供給されるようになっている。
【００２１】
また、信号発生回路１００は、入力される各種制御信号に基づき、各発光チップＣ１〜Ｃ６０のφＳ端子にスタート転送信号φＳ、φ１端子に第１転送信号φ１、そしてφ２端子に第２転送信号φ２を出力する。
【００２２】
回路基板６２には、各発光チップＣ１〜Ｃ６０のＶｃｃ端子に接続される電力供給用の電源ライン１０１（電源電圧Ｖｃｃ＝−５．０Ｖ）およびＧＮＤ端子に接続される接地用の電源ライン１０２（接地電圧ＧＮＤ＝±０Ｖ）が設けられている。また、回路基板６２には、信号発生回路１００のスタート転送信号φＳ、第１転送信号φ１、第２転送信号φ２を送信するスタート転送信号ライン１０３、第１転送信号ライン１０４、第２転送信号ライン１０５も設けられている。さらに、回路基板６２には、信号発生回路１００から発光チップＣ１〜Ｃ６０に対して発光信号φＩ１〜φＩ６０をそれぞれ出力する６０本の発光信号ライン１０６＿１〜１０６＿６０も設けられている。ここでも、発光信号ライン１０６＿１〜１０６＿６０をそれぞれ区別しないときは、発光信号ライン１０６または発光信号ライン１６０（１０６＿１〜１０６＿６０）と表記する。
なお、回路基板６２には、６０本の発光信号ライン１０６（１０６＿１〜１０６＿６０）に過剰な電流が流れるのを防止するための６０個の発光電流制限抵抗ＲＩＤが設けられている。また、発光信号φＩ（φＩ１〜φＩ６０）は、ハイレベル（「Ｈ」）およびローレベル（「Ｌ」）の２状態を取りうる。そして、「Ｌ」は電源電圧Ｖｃｃ（−５．０Ｖ）、「Ｈ」は接地電圧ＧＮＤ（±０．０Ｖ）となっている。
【００２３】
図６は、発光チップＣの回路構成を説明するための図である。
図６では、図４（ａ）と異なって、電極部（Ｖｃｃ端子、φ１端子、φ２端子、φＳ端子、φＩ端子）を説明の便宜上、紙面の左側に示している。
発光チップＣは、６５個の転送サイリスタＳ１〜Ｓ６５、６５個の発光サイリスタＬ１〜Ｌ６５を備えている。なお、転送サイリスタＳ１〜Ｓ６５と発光サイリスタＬ１〜Ｌ６５とは、ｐｎｐｎ構造を有している。発光サイリスタＬ１〜Ｌ６５はｐｎ接合における発光を利用して、発光ダイオード（ＬＥＤ）として機能するようになっている。なお、転送サイリスタＳ１〜Ｓ６５もｐｎ接合において発光しうるが、遮光などにより光が漏れないようになっている。
また、発光チップＣは、６４個のダイオードＤ１〜Ｄ６４および６５個の抵抗Ｒ１〜Ｒ６５を備えている。さらに、発光チップＣは、第１転送信号φ１、第２転送信号φ２、そしてスタート転送信号φＳが供給される信号線に、過剰な電流が流れるのを防止するための転送電流制限抵抗Ｒ１Ａ、Ｒ２Ａ、Ｒ３Ａを有している。なお、発光素子アレイ８１を構成する発光サイリスタＬ１〜Ｌ６５は、図中左側からＬ１、Ｌ２、…、Ｌ６４、Ｌ６５の順で配列され、発光素子列すなわち発光素子アレイ８１を構成する。また、転送サイリスタＳ１〜Ｓ６５も、図中左側からＳ１、Ｓ２、…、Ｓ６４、Ｓ６５の順で配列され、スイッチ素子列すなわちスイッチ素子アレイ８２を構成する。さらに、ダイオードＤ１〜Ｄ６４も、図中左からＤ１、Ｄ２、…、Ｄ６３、Ｄ６４の順で配列されている。さらにまた、抵抗Ｒ１〜Ｒ６５も、図中左からＲ１、Ｒ２、…Ｒ６４、Ｒ６５の順で配列されている。
ここでも、転送サイリスタＳ１〜Ｓ６５、発光サイリスタＬ１〜Ｌ６５をそれぞれ区別しないときは、転送サイリスタＳ、発光サイリスタＬと表記する。また、ダイオードＤ１〜Ｄ６４、抵抗Ｒ１〜Ｒ６５をそれぞれ区別しないときは、ダイオードＤ、抵抗Ｒと表記する。
【００２４】
発光素子アレイ８１における発光サイリスタＬの数は、予め定められた個数とすればよい。発光サイリスタＬの数を例えば６５個とすると、転送サイリスタＳの数も６５個である。同様に、抵抗Ｒの数も６５個である。しかし、ダイオードＤの数は、転送サイリスタＳの数より１少ない６４個である。
なお、転送サイリスタＳの数は、発光サイリスタＬの数より多くてもよい。
【００２５】
では次に、発光チップＣにおける各素子の電気的な接続について説明する。
各転送サイリスタＳ１〜Ｓ６５のアノード端子は、ＧＮＤ端子に接続されている。このＧＮＤ端子には、電源ライン１０２（図５参照）が接続され、接地（接地電圧ＧＮＤ（±０Ｖ））される。
【００２６】
また、奇数番目の転送サイリスタＳ１、Ｓ３、…、Ｓ６５のカソード端子は、転送電流制限抵抗Ｒ１Ａを介してφ１端子に接続されている。このφ１端子には、第１転送信号ライン１０４（図５参照）が接続され、第１転送信号φ１が供給される。
【００２７】
一方、偶数番目の転送サイリスタＳ２、Ｓ４、…、Ｓ６４のカソード端子は、転送電流制限抵抗Ｒ２Ａを介してφ２端子に接続されている。このφ２端子には、第２転送信号ライン１０５（図５参照）が接続され、第２転送信号φ２が供給される。
【００２８】
また、各転送サイリスタＳ１〜Ｓ６５のゲート端子Ｇ１〜Ｇ６５は、各転送サイリスタＳ１〜Ｓ６５に対応して設けられた抵抗Ｒ１〜Ｒ６５をそれぞれ介してＶｃｃ端子に接続されている。このＶｃｃ端子には、電源ライン１０１（図５参照）が接続され、電源電圧Ｖｃｃ（−５．０Ｖ）が供給される。
【００２９】
さらに、各転送サイリスタＳ１〜Ｓ６５のゲート端子Ｇ１〜Ｇ６５は、対応する同番号の発光サイリスタＬ１〜Ｌ６５のゲート端子に、１対１でそれぞれ接続されている。
【００３０】
また、各転送サイリスタＳ１〜Ｓ６４のゲート端子Ｇ１〜Ｇ６４には、ダイオードＤ１〜Ｄ６４のアノード端子が接続されており、これらダイオードＤ１〜Ｄ６４のカソード端子は、それぞれに隣接する次段の転送サイリスタＳ２〜Ｓ６５のゲート端子Ｇ２〜Ｇ６５に接続されている。すなわち、各ダイオードＤ１〜Ｄ６４は、転送サイリスタＳ１〜Ｓ６５のゲート端子Ｇ１〜Ｇ６５を挟んで直列接続されている。
【００３１】
そして、ダイオードＤ１のアノード端子すなわち転送サイリスタＳ１のゲート端子Ｇ１は、転送電流制限抵抗Ｒ３Ａを介してφＳ端子に接続されている。このφＳ端子には、スタート転送信号ライン１０３（図５参照）を介してスタート転送信号φＳが供給される。
【００３２】
次に、各発光サイリスタＬ１〜Ｌ６５のアノード端子は、各転送サイリスタＳ１〜Ｓ６５のアノード端子と同様に、ＧＮＤ端子に接続されている。
【００３３】
また、各発光サイリスタＬ１〜Ｌ６５のカソード端子は、φＩ端子に接続されている。このφＩ端子には、発光信号ライン１０６（発光チップＣ１の場合は発光信号ライン１０６＿１：図５参照）が接続され、発光信号φＩ（発光チップＣ１の場合は発光信号φＩ１）が供給される。なお、他の発光チップＣ２〜Ｃ６０には、それぞれ、対応する発光信号φＩ２〜φＩ６０が供給される。
【００３４】
＜発光サイリスタＬの配列と画素の位置ずれ補正＞
画素（ドット）の主走査方向の位置ずれについて説明を行なう。
図７は、主走査方向において、形成された画素（ドット）が位置ずれを生じる要因を説明した図である。図７では、回路基板６２上の発光チップＣの配列を示している。図７（ａ）は、発光チップＣが理想的に配列された状態を示す図である。図７（ｂ）は、実際に生じる発光チップＣの配列の状態を示す図である。
図７（ａ）に示すように、発光チップＣの発光サイリスタＬは、それぞれの発光チップＣにおいても、隣接する発光チップＣの間（αで示す２つの発光チップＣの境界部）においても、主走査方向（Ｘ方向）において、予め定められた間隔で並んでいる。
【００３５】
しかし、実際には、発光チップＣにおける発光サイリスタＬの形成精度および回路基板６２への取り付け精度に限界がある。
例えば、図７（ｂ）に示す発光チップＣ１では、発光サイリスタＬの形成精度に起因して、発光サイリスタＬの間隔が、予め定められた間隔（並べて示す発光チップＣ）に比べて、大きい。
また、図７（ｂ）の発光チップＣ２では、発光サイリスタＬの形成精度に起因して、発光サイリスタＬの間隔が、予め定められた間隔（並べて示す発光チップＣ）に比べて、小さい。
【００３６】
また、図７（ｂ）の発光チップＣ４と発光チップＣ５との間のβで示す境界部において、回路基板６２への取り付け精度に起因して、発光サイリスタＬの間隔が予め定められた間隔より大きい。
また、発光チップＣ５と発光チップＣ６との間のγで示す境界部において、回路基板６２への取り付け精度に起因して、それぞれの発光チップＣにおける一部の発光サイリスタＬが副走査方向（Ｙ方向）において、重なっている。
このため、図７（ｂ）に示す実際の場合における、発光チップＣ１〜Ｃ６から構成される発光部６３の主走査方向の長さＷ１は、図７（ａ）に示す理想的な場合の主走査方向の長さＷ０と異なることになる。図７では、実際の場合の発光部６３の主走査方向の長さＷ１は、理想的な場合の主走査方向の長さＷ０に比べて大きく示している。なお、実際の場合の発光部６３の主走査方向の長さＷ１が、理想的な場合の主走査方向の長さＷ０に比べて小さくなる場合もある。
【００３７】
前述したように、発光素子ヘッド１４が画像形成ユニット１１Ｙ、１１Ｍ、１１Ｃ、１１Ｋ毎に設けられている画像形成装置１では、それぞれの発光素子ヘッド１４の発光サイリスタＬの位置のずれや、発光部６３の主走査方向の長さ（主走査幅）に差があると、形成された画素（ドット）に位置ずれを生じ、色ずれを生じてしまう。
【００３８】
さらに、前述したロッドレンズアレイ６４（図２参照）には、焦点位置のばらつきが存在する。
これによっても、形成される画素（ドット）は、主走査方向において、予め定められた位置からのずれ（位置ずれ）を生じることになる。
よって、形成される画素（ドット）の位置ずれを補正し、色ずれを抑制することが好ましい。
【００３９】
さらに、発光チップＣが配される回路基板６２（図２参照）に温度むらが生じることにより各発光チップＣに熱膨張のむらが生じることがある。このような原因により感光体ドラム１２の表面の主走査方向（図３のＸ方向）に対する露光範囲（主走査幅）が予め定められた範囲から変化することがある。つまり主走査方向において倍率が変化して、画素（ドット）に位置ずれを生じる。倍率の変化が、画像形成ユニット１１Ｙ、１１Ｍ、１１Ｃ、１１Ｋ毎に設けられた発光素子ヘッド１４（図１参照）に異なって生じると、形成された画素（ドット）において、色ずれが生じる。
よって、形成される画素（ドット）の位置ずれを補正し、色ずれを抑制することが好ましい。
【００４０】
本実施の形態では、以下に説明するように発光サイリスタＬを配した発光チップＣを使用する。
図８は、本実施の形態で使用する発光チップＣにおける発光サイリスタＬの配列および隣接する発光チップＣの関係の一例を説明した図である。図８（ａ）は、発光チップＣにおける発光サイリスタＬの配列を示している。図８（ｂ）は、隣接する発光チップＣの関係を示している。
【００４１】
始めに、図８（ａ）により、発光チップＣにおける発光サイリスタＬの配列について説明する。なお、発光チップＣ１〜Ｃ６０の構成は、発光チップＣと同じである。
発光チップＣにおける発光サイリスタＬは、３つの群に分けられている。すなわち、第１の発光素子群Ｉの発光サイリスタＬ３〜Ｌ６２は、予め定められた第１の間隔Ｐ１（間隔はＰ１で表記する。）にて連続して配されている。
第２の発光素子群ＩＩの発光サイリスタＬ１、Ｌ２は、第１の間隔Ｐ１とは異なる第２の間隔Ｐ２（間隔はＰ２で表記する。）にて連続して配されている。
第３の発光素子群ＩＩＩの発光サイリスタＬ６３〜Ｌ６５は、第１の間隔Ｐ１および第２の間隔Ｐ２と異なる第３の間隔Ｐ３（間隔はＰ３で表記する。）にて連続して配されている。
そして、第１の発光素子群Ｉは、第２の発光素子群ＩＩと第３の発光素子群ＩＩＩの間に設けられている。すなわち、発光チップＣにおいて、第２の発光素子群ＩＩは、第１の発光素子群Ｉの一端部側に引き続いて設けられ、第３の発光素子群ＩＩＩは、第１の発光素子群Ｉの他端部側に引き続いて設けられている。
ここで、第１の発光素子群Ｉ、第２の発光素子群ＩＩ、第３の発光素子群ＩＩＩをそれぞれ区別しないときは、発光素子群と表記し、第１の間隔Ｐ１、第２の間隔Ｐ２、第３の間隔Ｐ３をそれぞれ区別しないときは、間隔Ｐと表記する。
【００４２】
そして、間隔Ｐは、それぞれの発光素子群の発光サイリスタＬが、予め定められた整数比による個数で配されように設定されている。本実施の形態では、第１の間隔Ｐ１の３倍（Ｐ１×３）が、第２の間隔Ｐ２の２倍（Ｐ２×２）に対応するように、第１の整数比の一例としての３：２で設定されている（Ｐ１×３＝Ｐ２×２）。すなわち、第１の発光素子群Ｉの３個の発光サイリスタＬの主走査方向の長さと、第２の発光素子群ＩＩの２個の発光サイリスタＬの主走査方向の長さとが等しい。
また、第１の間隔Ｐ１の２倍（Ｐ１×２）が、第３の間隔Ｐ３の３倍（Ｐ３×３）に対応するように、第２の整数比の一例としての２：３で設定されている設定されている（Ｐ１×２＝Ｐ３×３）。すなわち、第１の発光素子群Ｉの２個の発光サイリスタＬの主走査方向に占める長さと、第３の発光素子群ＩＩＩの３個の発光サイリスタＬの主走査方向に占める長さとが等しい。
つまり、第３の間隔Ｐ３が最も小さく、第２の間隔Ｐ２が最も大きい（Ｐ３＜Ｐ１＜Ｐ２）。
なお、第１の発光素子群Ｉの発光サイリスタＬ、第２の発光素子群ＩＩの発光サイリスタＬ、第３の発光素子群ＩＩＩの発光サイリスタＬのそれぞれの発光面の面積は、同じであっても、異なっていてもよい。
【００４３】
次に、図８（ｂ）により、隣接する発光チップＣの関係を説明する。
図８（ｂ）では、発光チップＣ１、発光チップＣ２および発光チップＣ３の部分を示している。
発光チップＣ１と発光チップＣ３とは、図８（ａ）に示した発光チップＣを紙面において２個左右に並べたものである。
一方、発光チップＣ２は、図８（ａ）に示した発光チップＣを紙面内において１８０°回転させて、発光チップＣ１および発光チップＣ３に対して千鳥状に配したものである（図３参照）。
このとき、発光チップＣ１の第３の発光素子群ＩＩＩ（発光サイリスタＬ６３〜Ｌ６５）が、発光チップＣ２の第１の発光素子群Ｉにおける発光サイリスタＬ６１、Ｌ６２に対向するように配され、発光チップＣ２の第３の発光素子群ＩＩＩ（発光サイリスタＬ６３〜Ｌ６５）が、発光チップＣ１の第１の発光素子群Ｉにおける発光サイリスタＬ６１、Ｌ６２に対向するように配されている。
また、発光チップＣ３の第２の発光素子群ＩＩ（発光サイリスタＬ１、Ｌ２）が、発光チップＣ２の第１の発光素子群Ｉにおける発光サイリスタＬ３〜Ｌ５に対向するように配され、発光チップＣ２の第１の発光素子群Ｉ（発光サイリスタＬ１、Ｌ２）が、発光チップＣ３の第１の発光素子群Ｉにおける発光サイリスタＬ３〜Ｌ５に対向するように配されている。
すなわち、発光部６３において、発光チップＣ１〜Ｃ６０で構成される発光部６３において、それぞれの発光チップＣの第１の発光素子群Ｉに属する発光サイリスタＬが、全体として第１の発光素子列を構成する。同様に、第２の発光素子群ＩＩに属する発光サイリスタＬが、全体として第２の発光素子列に相当する。そして、第３の発光素子群ＩＩＩに属する発光サイリスタＬが、全体として第３の発光素子列に相当する。
【００４４】
ここで、本実施の形態における位置ずれ補正を説明する。
まず、画素（ドット）の位置ずれが生じた場合には、主走査方向（Ｘ方向）において、Ｘ方向（正側）にずれた場合（伸びた場合）と、−Ｘ方向（負側）にずれた場合（縮んだ場合）とがある。Ｘ方向にずれた場合は、画素（ドット）の位置をＸ方向に縮小されるようにする。また、−Ｘ方向にずれた場合は、Ｘ方向に拡大するようにする。すなわち、主走査方向の倍率を縮小または拡大して補正する。このようにすることで、画像データを損なうことなく、画素（ドット）の位置を補正できる。このように倍率を変更することで補正することを「倍率補正」と呼ぶ。
図９は、倍率補正が縮小である（倍率が１より小さい）場合を説明した図である。なお、発光チップＣ１と発光チップＣ２との境界部を例として示している。図９（ａ）は、倍率補正を行なわない場合の発光サイリスタＬが発光する順序を説明する図である。図９（ｂ）は、倍率補正（縮小）を行なう場合の発光サイリスタＬが発光する順序を説明している。なお、画像データ＃１〜＃１０の順に発光させるとして、画像データ＃１〜＃１０の符号を発光サイリスタＬに付した。
図９（ａ）に示すように、倍率補正（縮小）を行わない場合は、発光チップＣ１の第１の発光素子群Ｉの発光サイリスタＬ５９（＃１）、Ｌ６０（＃２）、Ｌ６１（＃３）、Ｌ６２（＃４）が順に発光し、次に発光チップＣ２の第１の発光素子群Ｉの発光サイリスタＬ６２（＃５）、Ｌ６１（＃６）、Ｌ６０（＃７）、Ｌ５９（＃８）、Ｌ５８（＃９）、Ｌ５７（＃１０）が順に発光する。
【００４５】
図９（ｂ）は、倍率補正（縮小）を説明する図であって、発光チップＣ１の第１の発光素子群Ｉの発光サイリスタＬ５９（＃１）、Ｌ６０（＃２）、Ｌ６１（＃３）、Ｌ６２（＃４）を順に発光させ、次に発光チップＣ１の第３の発光素子群ＩＩＩの発光サイリスタＬ６３（＃５）、Ｌ６４（＃６）、Ｌ６５（＃７）を発光させる。そして、発光チップＣ２の第１の発光素子群Ｉの発光サイリスタＬ６０（＃８）、Ｌ５９（＃９）、Ｌ５８（＃１０）を順に発光させる。
【００４６】
すなわち、図９（ａ）に示す倍率補正を行わないときは、画像データ＃１〜＃１０において、主走査方向の長さＷ２の範囲で発光する。これに対して、図９（ｂ）に示す倍率補正（縮小）を行うときは、主走査方向の長さＷ３の範囲で発光する。発光チップＣ２の発光サイリスタＬ５７を使用しないため、主走査方向の長さＷ３は、倍率補正を行わないときの主走査方向の長さＷ２より１画素（ドット）分短くなる（Ｗ３＜Ｗ２）。つまり、発光チップＣにおいて、第１の発光素子群Ｉの発光サイリスタＬの代わりに、第３の発光素子群ＩＩＩの発光サイリスタＬを使用すると、発光する主走査方向の長さが縮小される。これは、第１の発光素子群Ｉの第１の間隔Ｐ１に比べ、第３の発光素子群ＩＩＩにおける第３の間隔Ｐ３が小さく設定されていることによる。つまり、主走査方向の長さを、１ドット縮小できる。
ここでは、発光チップＣ１の第３の発光素子群ＩＩＩの発光サイリスタＬを使用したが、発光チップＣ２の第３の発光素子群ＩＩＩの発光サイリスタＬを使用してもよい。
【００４７】
なお、第２の発光素子群ＩＩおよび第３の発光素子群ＩＩＩを備えない第１の発光素子群Ｉのみからなる発光チップＣにおいて、倍率補正（縮小）を行うには、図９（ａ）において、画像データ＃１〜＃１０のいずれかを省略することになる。例えば、発光チップＣ１の発光サイリスタＬ６２（＃４）の次に、発光チップＣ２の発光サイリスタＬ６２を画像データ＃６で発光させることになる。この方法では、５番目の画像データ＃５による画素（ドット）が形成されないため、画像に乱れが生じてしまう。
これに対し、本実施の形態では、すべての画像データにより画素（ドット）が形成されるため、画像の乱れが抑制される。
【００４８】
図１０は、倍率補正が拡大である（倍率が１より大きい）場合を説明した図である。なお、発光チップＣ２と発光チップＣ３との境界部を例として示している。図１０（ａ）は、倍率補正を行なわない場合の発光サイリスタＬが発光する順序を説明する図である。図１０（ｂ）は、倍率補正（拡大）を行なう場合の発光サイリスタＬが発光する順序を説明する図である。なお、画像データ＃１〜＃１０の順に発光させるとして、画像データ＃１〜＃１０の符号を発光サイリスタＬに付した。
図１０（ａ）に示すように、倍率補正を行わない場合は、発光チップＣ２の第１の発光素子群Ｉの発光サイリスタＬ６（＃１）、Ｌ５（＃２）、Ｌ４（＃３）、Ｌ３（＃４）が順に発光し、次に発光チップＣ３の第１の発光素子群Ｉの発光サイリスタＬ３（＃５）、Ｌ４（＃６）、Ｌ５（＃７）、Ｌ６（＃８）、Ｌ７（＃９）、Ｌ８（＃１０）が順に発光する。
【００４９】
図１０（ｂ）は倍率補正（拡大）を説明する図であって、発光チップＣ２の第１の発光素子群Ｉの発光サイリスタＬ６（＃１）、Ｌ５（＃２）、Ｌ４（＃３）、Ｌ３（＃４）を順に発光させ、次に発光チップＣ２の発光素子群ＩＩの発光サイリスタＬ２（＃５）、Ｌ１（＃６）を発光させる。そして、発光チップＣ３の第１の発光素子群Ｉの発光サイリスタＬ６（＃７）、Ｌ７（＃８）、Ｌ８（＃９）、Ｌ９（＃１０）を順に発光させる。
【００５０】
すなわち、画像データ＃１〜＃１０において、図１０（ａ）に示す倍率補正（拡大）を行わないときは、主走査方向の長さＷ４の範囲で発光する。これに対して、図１０（ｂ）に示す倍率補正（拡大）を行うときは、主走査方向の長さＷ５の範囲で発光する。倍率補正（拡大）を行うときは、発光チップＣ３の発光サイリスタＬ１０を使用するため、主走査方向の長さＷ５が、倍率補正を行わないときの主走査方向の長さＷ４より１画素（ドット）分長くなる（Ｗ４＜Ｗ５）。つまり、発光チップＣにおいて、第１の発光素子群Ｉの発光サイリスタＬの代わりに、第２の発光素子群ＩＩの発光サイリスタＬを使用すると、発光する主走査方向の長さが拡大される。これは、第１の発光素子群Ｉの第１の間隔Ｐ１に比べ、第２の発光素子群ＩＩにおける第２の間隔Ｐ２が大きく設定されていることによる。つまり、主走査方向の長さを１ドット拡大できる。
ここでは、発光チップＣ２の第２の発光素子群ＩＩの発光サイリスタＬを使用したが、発光チップＣ３の第２の発光素子群ＩＩの発光サイリスタＬを使用してもよい。
【００５１】
なお、第２の発光素子群ＩＩおよび第３の発光素子群ＩＩＩを備えない第１の発光素子群Ｉのみからなる発光チップＣでは、図１０（ａ）において、画像データ＃１〜＃１０のいずれかにおいて、発光サイリスタＬを飛ばして発光させるか、２個の発光サイリスタＬを連続して発光させることになる。例えば、発光チップＣ３の発光サイリスタＬ３を発光させず、発光チップＣ３の発光サイリスタＬ４を画像データ＃５により発光させる。または、発光チップＣ３の発光サイリスタＬ３と発光サイリスタＬ４とを画像データ＃５により発光させる。このようにすると、形成されない画素（ドット）が生じたり（白抜け）、同じ画素（ドット）が繰り返したり（黒すじ）して、形成された画像に乱れが生じる。
これに対し、本実施の形態では、すべての画像データが重複することなく形成されるため、画像の乱れが抑制される。
【００５２】
以上説明したように、本実施の形態の発光チップＣは、第１の間隔Ｐ１で配された第１の発光素子群Ｉの発光サイリスタＬに加え、第１の間隔Ｐ１より大きい第２の間隔Ｐ２で配した第２の発光素子群ＩＩの発光サイリスタＬと、第１の間隔Ｐ１より小さい第３の間隔Ｐ３で配された第３の発光素子群ＩＩＩの発光サイリスタＬとを備えているので、主走査方向において倍率補正（縮小および拡大）ができ、位置ずれ補正ができる。
なお、倍率補正（縮小および拡大）による位置ずれ補正は、千鳥状に配された発光チップＣの境界部の発光サイリスタＬが重複して配された箇所（重複する箇所）で行われる。このような境界部を操作点と呼ぶ。
【００５３】
次に、倍率補正を用いた位置ずれ補正を説明する。
図１１は、倍率補正を用いた位置ずれ補正を模式的に説明した図である。図１１（ａ）は位置ずれ補正をしない場合の位置ずれ量を説明する図である。図１１（ｂ）は位置ずれ補正をした場合の位置ずれ量を説明する図である。
図１１（ａ）、（ｂ）のそれぞれにおいて、上側は発光部６３における発光チップＣの配列を示し、下側は、横軸はＸ方向での位置、縦軸は主走査方向（Ｘ方向）の位置ずれ量を示している。なお、これらの図において、上側に示した発光部６３における発光チップＣの画素の位置と、下側に示した横軸のＸ方向での位置とは対応しない。
【００５４】
図１１（ａ）の位置ずれ補正をしない場合では、図１１（ａ）の上側に示すように、それぞれの発光チップＣにおける第１の発光素子群Ｉに属する発光サイリスタＬ（網点を付して示す。）のみを用いる。
このとき、位置ずれ量が図１１（ａ）の下側に示すようであったとする。すなわち、範囲ａでは、画素（ドット）がＸ方向に徐々にずれていっている。これは、発光サイリスタＬの形成精度に起因して、第１の発光素子群Ｉに属する発光サイリスタＬの間隔が、予め定められた間隔（第１の間隔Ｐ１）より大きくなった場合に相当する。なお、範囲ａにおけるＸ方向の位置ずれ量を１ドットとする。
そして、範囲ｂ、ｃ、ｄでは、範囲ａで生じた位置ずれ量をそのまま引き継ぐように発光チップＣが配列されたとする。つまり、位置ずれ量は１ドットのままである。
さらに、範囲ｅでは、範囲ａと逆に、画素（ドット）が−Ｘ方向に徐々にずれていっている。これは、発光サイリスタＬの形成精度に起因して、第１の発光素子群Ｉに属する発光サイリスタＬの間隔が、予め定められた間隔（第１の間隔Ｐ１）より小さくなった場合に相当する。なお、範囲ｅでの−Ｘ方向の位置ずれ量を１ドットとする。すなわち、範囲ｅにより、画素（ドット）の位置ずれ量は０となったとする。
さらにまた、範囲ｆでは、画素（ドット）の位置ずれがないとする。
以上説明したように、図１１（ａ）の位置ずれ補正をしない場合では、範囲ａ、ｂ、ｃ、ｄ、ｅにおいて、画素（ドット）の位置ずれが生じている。
【００５５】
一方、図１１（ｂ）の位置ずれ補正をする場合では、図１１（ｂ）の上側に示すように、それぞれの発光チップＣにおける第１の発光素子群Ｉに属する発光サイリスタＬ（網点を付して示す。）に加え、第２の発光素子群ＩＩに属する発光サイリスタＬおよび第３の発光素子群ＩＩＩに属する発光サイリスタＬを用いる。
すなわち、範囲ｂと範囲ｃとの境において、２つの発光チップＣが隣接する境界部（操作点）において、第３の発光素子群ＩＩＩに属する発光サイリスタＬを用いる。前述したように、第１の発光素子群Ｉに属する発光サイリスタＬの代わりに第３の発光素子群ＩＩＩに属する発光サイリスタＬを用いると、画像データを損なうことなく画素（ドット）の位置を−Ｘ方向に１ドットずらすことができる（倍率縮小）。
よって、図１１（ｂ）の下側に示すように、範囲ｃにおいて画素（ドット）の位置ずれ量が０になる。
【００５６】
そして、範囲ｃと範囲ｄとの境において、２つの発光チップＣが隣接する境界部（操作点）において、第２の発光素子群ＩＩに属する発光サイリスタＬを用いる。前述したように、第１の発光素子群Ｉに属する発光サイリスタＬの代わりに第２の発光素子群ＩＩに属する発光サイリスタＬを用いると、画像データを損なうことなく画素（ドット）の位置をＸ方向に１ドットずらすことができる（倍率拡大）。
これにより、範囲ｄでは、画素（ドット）の位置ずれ量が１ドットになる。しかし、範囲ｆにおいて、位置ずれ量が０に維持される。
なお、範囲ｃと範囲ｄとの境において倍率拡大を行わないと、範囲ｄでは位置ずれ量が０となるが、範囲ｅにおいて位置ずれ量が−Ｘ方向に生じて、範囲ｆにおいて位置ずれ量が−１ドットとなってしまう。
ここでは、倍率縮小と倍率拡大とを組み合わせて用いることにより、発光素子ヘッド１４の製造時における画素（ドット）の位置ずれを抑制している。
なお、発光部６３の長さが長い場合には、倍率縮小を用いて位置ずれ補正でき、発光部６３の長さが短い場合には、倍率拡大を用いて位置ずれ補正できる。
【００５７】
本実施の形態では、回路基板６２上に発光チップＣ（Ｃ１〜Ｃ６０）が配され発光部６３が構成され、発光素子ヘッド１４が製造された後、発光チップＣ（Ｃ１〜Ｃ６０）のそれぞれの発光サイリスタＬが発光する光によって形成される画素（ドット）の位置が計測される。
これにより、第１の発光素子群Ｉの発光サイリスタＬによって形成される画素（ドット）の位置の予め定められた位置（第１の間隔Ｐ１で設定された位置）からのずれ量が計算される。
そして、前述した第２の発光素子群ＩＩおよび／または第３の発光素子群ＩＩＩの発光サイリスタＬを用いて位置ずれ補正を行い、形成される画素（ドット）の位置が、予め定められたずれ量の範囲内に入るように、画像データ毎に発光させる発光サイリスタＬを設定する。
そして、設定された発光サイリスタＬに関するデータが、補正データ記憶部１１１に書き込まれる。
なお、画像形成装置１が複数の画像形成ユニット１１（画像形成ユニット１１Ｙ、１１Ｍ、１１Ｃ、１１Ｋ）を有する場合には、それぞれの画像形成ユニット１１に設けられた発光素子ヘッド１４毎に補正データが格納される。
【００５８】
なお、発光素子ヘッド１４の製造後の、画素（ドット）の位置の計測は、専用の治具を用意して行えばよい。これにより、画素（ドット）の位置は予め定められた精度で計測できる。
また、倍率拡大または倍率縮小を行う操作点は、隣接して配置された発光チップＣ間の境界部に設定される。そして、操作点は、主走査方向における位置ずれ量が予め定められた値に達したところの近傍に設定すればよい。このようにすることで、位置ずれ量を予め定められた範囲内とすることができる。
【００５９】
＜発光チップＣの動作＞
次にこの構成で配した発光チップＣの発光サイリスタＬの動作の一例について説明を行なう。
図１２は、発光チップＣの発光サイリスタＬを駆動するための信号発生回路１００および補正データ記憶部１１１を説明した図である。
図１２に示した信号発生回路１００は、位置ずれ補正をするための補正データを格納する補正データ記憶部１１１から必要に応じ補正データを読み出す補正データ読み込み部１１２と、入力されるシリアル信号としての画像データＶｄａｔａを並び替える画像データ並び替え部１１３と、画像データ並び替え部１１３からパラレル信号として送られる駆動信号を受信し、各発光チップＣ（Ｃ１〜Ｃ６０）の各発光サイリスタＬを駆動させるための発光信号を生成する発光信号生成部１１４＿１〜１１４＿６０とを備える。
【００６０】
図１３は、発光チップの発光サイリスタの動作を説明するタイミングチャートである。
図１３に示すタイミングチャートを参照しながら、感光体ドラム１２を露光する発光チップＣの動作を詳細に説明する。なお、図１３では、図９で説明したような主走査方向を縮小することにより位置ずれを補正する場合において、発光サイリスタＬを発光させるためのタイミングチャートの例を示している。そして説明の便宜上、それぞれの発光サイリスタＬを順に発光させる場合について説明を行なう。
図中発光チップＣ１、Ｃ２の発光信号φＩとして発光信号φＩ１、φＩ２を図示している。なお説明をわかりやすくするため発光信号φＩ１、φＩ２については並行して図示しているが、それぞれの発光信号φＩ１、φＩ２について、このように互いに時間的に同時性を有して信号が送られるとは限らない。
【００６１】
ここで初期状態においては、スタート転送信号φＳがローレベル（「Ｌ」）に、第１転送信号φ１がハイレベル（「Ｈ」）に、第２転送信号φ２が「Ｌ」に、そして発光信号φＩ（φＩ１、φＩ２）が「Ｈ」に、それぞれ設定されているものとする。
【００６２】
動作の開始に伴い、信号発生回路１００から入力されるスタート転送信号φＳが、「Ｌ」から「Ｈ」に変更される。これにより、発光チップＣの転送サイリスタＳ１のゲート端子Ｇ１に「Ｈ」のスタート転送信号φＳが供給される。このとき、ダイオードＤ１〜Ｄ６４を介して、他の転送サイリスタＳ２〜Ｓ６５のゲート端子Ｇ２〜Ｇ６５にもスタート転送信号φＳが供給される。ただし、各ダイオードＤ１〜Ｄ６４でそれぞれ電圧降下が生じるため、転送サイリスタＳ１のゲート端子Ｇ１にかかる電圧が最も高くなる。
【００６３】
そして、スタート転送信号φＳが「Ｈ」となっている状態で、信号発生回路１００から入力される第１転送信号φ１が、「Ｈ」から「Ｌ」に変更される。また、第１転送信号φ１が「Ｌ」に変更されてから第１の期間ｔａが経過した後、第２転送信号φ２が、「Ｌ」から「Ｈ」に変更される。
【００６４】
このように、スタート転送信号φＳが「Ｈ」となっている状態において、「Ｌ」の第１転送信号φ１が供給されると、発光チップＣでは、「Ｌ」の第１転送信号φ１が供給される奇数番目の転送サイリスタＳ１、Ｓ３、…、Ｓ６５のうち、ゲート電圧が最も高く、閾値以上となる転送サイリスタＳ１がターンオンする。また、このとき、第２転送信号φ２は「Ｈ」となっているので、偶数番目の転送サイリスタＳ２、Ｓ４、…、Ｓ６４のカソード電圧は高いままとなり、ターンオフの状態が維持される。このとき、発光チップＣでは、奇数番目の転送サイリスタＳ１のみがターンオンした状態になる。これに伴い、奇数番目の転送サイリスタＳ１とゲート同士が接続された発光サイリスタＬ１がターンオンし、発光可能な状態におかれる。
【００６５】
転送サイリスタＳ１がターンオンしている状態において、第２転送信号φ２が「Ｈ」に変更されてから第２の期間ｔｂが経過した後、第２転送信号φ２が「Ｈ」から「Ｌ」に変更される。すると、「Ｌ」の第２転送信号φ２が供給される偶数番目の転送サイリスタＳ２、Ｓ４、…、Ｓ６４のうち、ゲート電圧が最も高く、閾値以上となる転送サイリスタＳ２がターンオンする。このとき、発光チップＣでは、奇数番目の転送サイリスタＳ１とこれに隣接する偶数番目の転送サイリスタＳ２とが、共にターンオンした状態になる。これに伴い、既にターンオンしている発光サイリスタＬ１に加えて、偶数番目の転送サイリスタＳ２とゲート同士が接続された発光サイリスタＬ２がターンオンし、共に発光可能な状態におかれる。
【００６６】
転送サイリスタＳ１および転送サイリスタＳ２が共にターンオンしている状態において、第２転送信号φ２が「Ｌ」に変更されてから第３の期間ｔｃが経過した後、第１転送信号φ１が「Ｌ」から「Ｈ」に変更される。これに伴い、奇数番目の転送サイリスタＳ１はターンオフし、偶数番目の転送サイリスタＳ２のみがターンオンした状態になる。これに伴い、奇数番目の発光サイリスタＬ１はターンオフして発光不能な状態におかれ、偶数番目の発光サイリスタＬ２のみがターンオンを維持して発光可能な状態におかれる。なお、この例では、第１転送信号φ１が「Ｈ」に変更されるのに合わせて、スタート転送信号φＳが「Ｈ」から「Ｌ」に変更されている。
【００６７】
転送サイリスタＳ２がターンオンしている状態において、第１転送信号φ１が「Ｈ」に変更されてから第４の期間ｔｄが経過した後、第１転送信号φ１が「Ｈ」から「Ｌ」に変更される。これに伴い、「Ｌ」の第１転送信号φ１が供給される奇数番目の転送サイリスタＳ１、Ｓ３、…、Ｓ６５のうち、ゲート電圧が最も高い転送サイリスタＳ３がターンオンする。このとき、発光チップＣでは、偶数番目の転送サイリスタＳ２とこれに隣接する奇数番目の転送サイリスタＳ３とが、共にターンオンした状態になる。これに伴い、既にターンオンしている発光サイリスタＬ２に加えて、奇数番目の転送サイリスタＳ３とゲート同士が接続された発光サイリスタＬ３がターンオンし、共に発光可能な状態におかれる。
【００６８】
転送サイリスタＳ２および転送サイリスタＳ３が共にターンオンしている状態において、第１転送信号φ１が「Ｌ」に変更されてから第５の期間ｔｅが経過した後、第２転送信号φ２がローレベルから「Ｈ」に変更される。これに伴い、偶数番目の転送サイリスタＳ２はターンオフし、奇数番目の転送サイリスタＳ３のみがターンオンした状態になる。これに伴い、偶数番目の発光サイリスタＬ２はターンオフして発光不能な状態におかれ、奇数番目の発光サイリスタＬ３のみがターンオンを維持して発光可能な状態におかれる。
【００６９】
このように、発光チップＣでは、第１転送信号φ１および第２転送信号φ２が共に「Ｌ」に設定される重なり期間を設けつつ、交互に「Ｈ」、「Ｌ」が切り換えられることにより、転送サイリスタＳ１〜Ｓ６５が番号順に順次ターンオンする。また、これに伴い、発光サイリスタＬ１〜Ｌ６５も番号順に順次ターンオンする。このとき、第２の期間ｔｂでは、奇数番目の転送サイリスタ（例えば転送サイリスタＳ１）のみがターンオンし、第３の期間ｔｃでは、奇数番目の転送サイリスタおよび次段に設けられた偶数番目の転送サイリスタ（例えば転送サイリスタＳ１および転送サイリスタＳ２）がターンオンし、第４の期間ｔｄでは、偶数番目の転送サイリスタ（例えば転送サイリスタＳ２）のみがターンオンし、第５の期間ｔｅでは、偶数番目の転送サイリスタおよび次段に設けられた奇数番目の転送サイリスタ（例えば転送サイリスタＳ２および転送サイリスタＳ３）がターンオンし、その後、再び第２の期間ｔｂにおいて奇数番目の転送サイリスタ（例えば転送サイリスタＳ３）のみがターンオンする、という過程を繰り返すことになる。
【００７０】
一方、発光信号φＩ１〜φＩ２は、基本的に、奇数番目の転送サイリスタが単独でターンオンする第２の期間ｔｂおよび偶数番目の転送サイリスタが単独でターンオンする第４の期間ｔｄにおいて、「Ｈ」から「Ｌ」への変更および「Ｌ」から「Ｈ」への変更が行われる。
【００７１】
ただし、発光信号φＩ１においては、左端の２個の転送サイリスタＳ１〜Ｓ２がターンオンする期間については、このような変更は行われない。これにより発光チップＣ１では、発光サイリスタＬ３、Ｌ４、…、Ｌ６４、Ｌ６５が、１個ずつ順番に発光する。つまり本実施の形態では、主走査方向に拡大することで位置ずれ補正をするための発光サイリスタＬ１〜Ｌ２は使用しないため、この２個の発光サイリスタＬ１〜Ｌ２を発光させない制御を行なう。一方、主走査方向で縮小することで倍率補正するための発光サイリスタＬ６３〜Ｌ６５は使用するため、これについては発光させる制御を行なう。
【００７２】
また発光信号φＩ２においては、左端の３個の転送サイリスタＳ６３〜Ｓ６５がターンオンする期間、および右端の２個の転送サイリスタＳ１、Ｓ２がターンオンする期間については、対応する発光サイリスタＬを発光させない制御を行なう。そして、発光チップＣ１の発光サイリスタＬ６３〜Ｌ６５に対向する発光サイリスタＬ６１、Ｌ６２を発光させない。これにより発光チップＣ２では、発光サイリスタＬ３、Ｌ４、…、Ｌ５９、Ｌ６０を発光させる制御を行なう。
【００７３】
図１４は、本実施の形態が適用される発光チップＣにおける発光サイリスタＬの配列および隣接する発光チップＣの関係の他の一例を説明した図である。図１４（ａ）は、発光チップＣにおける発光サイリスタＬの配列を示している。図１４（ｂ）は、隣接する発光チップＣの関係を示している。なお、図１４（ａ）に示す発光チップＣにおける発光サイリスタＬの配列は、図８（ａ）と同様である。図１４（ｂ）に示す隣接する発光チップＣの関係が異なっている。以下では、異なる部分を説明し、同様な部分の説明を省略する。
【００７４】
次に、図１４（ｂ）により、隣接する発光チップＣの関係を説明する。
図１４（ｂ）では、発光チップＣ１、発光チップＣ２および発光チップＣ３の部分を示している。
発光チップＣ１と発光チップＣ３とは、図１４（ａ）に示した発光チップＣを紙面において２個左右に並べたものである。そして、発光チップＣ２も、図１４（ａ）に示した発光チップＣを紙面において、ずらして並べて、発光チップＣ１および発光チップＣ３に対して千鳥状に配したものである（図３参照）。
このとき、発光チップＣ１の第３の発光素子群ＩＩＩ（発光サイリスタＬ６３〜Ｌ６５）が、発光チップＣ２の第１の発光素子群Ｉにおける発光サイリスタＬ３、Ｌ４に対向するように配され、発光チップＣ２の第２の発光素子群ＩＩ（発光サイリスタＬ１、Ｌ２）が、発光チップＣ１の第１の発光素子群Ｉにおける発光サイリスタＬ６０〜Ｌ６２に対向するように配されている。
また、発光チップＣ３の第２の発光素子群ＩＩ（発光サイリスタＬ１、Ｌ２）が、発光チップＣ２の第１の発光素子群Ｉにおける発光サイリスタＬ６０〜Ｌ６２に対向するように配され、発光チップＣ２の第３の発光素子群ＩＩＩ（発光サイリスタＬ６３〜Ｌ６５）が、発光チップＣ３の第１の発光素子群Ｉにおける発光サイリスタＬ３、Ｌ４に対向するように配されている。
【００７５】
図１４に示すように、発光チップＣを回路基板６２上に配列しても、位置ずれ補正ができる。
倍率補正が縮小の場合（図９参照）は、第３の発光素子群ＩＩＩの発光サイリスタＬを使用すればよく、倍率補正が拡大の場合（図１０参照）は、第２の発光素子群ＩＩの発光サイリスタＬを使用すればよい。
【００７６】
なお、図４（ａ）に示すように、発光サイリスタＬ（発光素子アレイ８１）が、基板７０の長手方向の一方の端部に近接して設けられている場合には、図１４（ｂ）に示すように発光チップＣを配列すると、隣接する発光チップＣ（例えば発光チップＣ１と発光チップＣ２）間で発光サイリスタＬの副走査方向（Ｙ方向）の距離が、１８０°回転させる場合に比べて、大きくなる。よって、この距離が小さいことが好ましい場合には、奇数番号の発光チップＣと偶数番号の発光チップとを、それぞれ別に準備することになる。
【００７７】
さらに、本実施の形態において、発光チップＣについては、上述した例に限られるものではない。
例えば、１つの発光チップＣに、図６に示したＳＬＥＤが２個左右反転した状態となるように設けられていてもよい。このとき、中央部には、第２の間隔Ｐ２の第２の発光素子群ＩＩや、第３の間隔Ｐ３の第３の発光素子群ＩＩＩを設けない。すなわち、２つのＳＬＥＤの中央部では、第１の間隔Ｐ１の第１の発光素子群Ｉの発光サイリスタＬが設けられるようにする。そして、左側のＳＬＥＤの左端に第２の発光素子群ＩＩの発光サイリスタＬを、右側のＳＬＥＤの右端に第３の発光素子群ＩＩＩの発光サイリスタＬが設けられるようにすればよい。
【００７８】
また、ＳＬＥＤは、発光サイリスタＬと転送サイリスタＳとから構成されているが、他に制御サイリスタを含むものであってもよい。
【００７９】
なお、副走査方向に重複して配される第１の発光素子群Ｉの発光サイリスタＬの個数と第２の発光素子群ＩＩの発光サイリスタＬの個数との整数比は、上述した例では、３：２であったが、これに限られるものではない。同様に、副走査方向に重複して配される第１の発光素子群Ｉの発光サイリスタＬの個数と第３の発光素子群ＩＩＩの発光サイリスタＬの個数との整数比は、上述した例では、２：３であったが、これに限られるものではない。整数比として、３：４または４：３などを採ることもできる。
これらの値は、発光チップＣの配列において縮小または拡大する倍率によって決めればよい。
【００８０】
以上説明したように、第１の発光素子群Ｉの発光サイリスタＬに加えて、第２の発光素子群ＩＩの発光サイリスタＬおよび第３の発光素子群ＩＩＩの発光サイリスタＬが配された発光チップＣを使用することで、発光チップＣの取り付け精度、発光チップＣにおける発光サイリスタＬの形成精度、およびロッドレンズアレイ６４（図２参照）の焦点位置のばらつきの程度に対する要求が、より低くなる。つまり発光素子ヘッド１４（図２参照）を製造後に検査を行ない、その結果により、上述した補正を行なうことで、主走査方向の位置ずれが抑制された発光素子ヘッド１４を製造することができる。そのため発光チップＣや発光素子ヘッド１４の製造歩留まりをより高くすることができる。
【００８１】
［第２の実施の形態］
第１の実施の形態では、発光素子ヘッド１４の製造後に、画素（ドット）の位置ずれ補正をするとした。
しかし、発光素子ヘッド１４による画素（ドット）の位置ずれ補正がされても、画像形成装置１では、発光素子ヘッド１４が画像形成ユニット１１Ｙ、１１Ｍ、１１Ｃ、１１Ｋ毎にそれぞれ設けられている（図１参照）。よって、これらの発光素子ヘッド１４の取りつけ位置が相互にずれると、形成される画像に色ずれを生じる。
さらに、画像形成装置１が動作すると、発光チップＣが配される回路基板６２（図２参照）に温度むらが生じることにより各発光チップＣに熱膨張のむらが生じることがある。
このような原因により感光体ドラム１２の主走査方向（Ｘ方向）に対する露光範囲（主走査幅）が予め定められた範囲から変化することがある。つまり主走査方向において倍率が変化する。これにより、形成された画像に色ずれを生じる。
このため、画像形成装置１において、主走査方向における画素（ドット）の位置ずれを補正する必要が生じる。
【００８２】
図１５は、画像形成装置１の感光体ドラム１２、発光素子ヘッド１４、用紙搬送ベルト２１、駆動ロール２２、転写ロール２３の部分を説明した斜視図である。
画像形成装置１は、用紙搬送ベルト２１に近接して複数の検知器の一例としてのフォトセンサ２５を備えている。図１５では、駆動ロール２２に添った用紙搬送ベルト２１に対向して、用紙搬送ベルト２１の左右端部にフォトセンサ２５が設けられている。
そして、フォトセンサ２５は、画像を形成の間または予め定められたタイミングにて、用紙搬送ベルト２１上に形成された色ずれ検出マークを検出する。色ずれ検出マークは、画像形成ユニット１１Ｙ、１１Ｍ、１１Ｃ、１１Ｋのそれぞれに設けられている発光素子ヘッド１４により形成される画像の主走査方向に対する伸び縮み、すなわち画素（ドット）の位置ずれをフォトセンサ２５により検出できるように構成されている。
【００８３】
ここで考慮する位置ずれは、発光素子ヘッド１４の取りつけ位置のずれ（後述する主走査方向の書き出し位置ずれ量ΔＸ）と、主走査方向における倍率の変化である。
これらは、主走査方向に配置された少なくとも２個のフォトセンサ２５で検出できる。
そして、画像形成ユニット１１Ｙ、１１Ｍ、１１Ｃ、１１Ｋのいずれかひとつの画像形成ユニット１１が形成する画素（ドット）を基準として、他の画像形成ユニット１１が形成する画素（ドット）の位置ずれを補正すればよい。
すなわち、画像形成装置１の動作中に生じる位置ずれは、線形的な拡大または縮小と捉え、主走査方向に対して縮小または拡大を行う操作点を設定する。
ここでは、発光素子ヘッド１４の製造時において、画素（ドット）の位置ずれがないとして説明する。
【００８４】
図１６は、位置ずれ補正の一例を説明した図である。図１６（ａ）は、発光部６３における発光チップＣの配列を示した図である。図１６（ｂ）、（ｃ）は、位置ずれ補正した例を示している。
発光チップＣの基本的な構成は、図１６（ａ）に示すように、図８と同様であるが、発光サイリスタＬが２５６個（２５６ドット）からなる第１の発光素子群Ｉが、主走査方向に二つ並んで設けられている。そして、一方の端に第２の発光素子群ＩＩの２個の発光サイリスタＬが、他方の端に第３の発光素子群ＩＩＩの３個の発光サイリスタＬが設けられている。
なお、これらの発光サイリスタＬは、全てが１つの発光チップＣとして構成されてもよく、第２の発光素子群ＩＩに属する発光サイリスタＬと第１の発光素子群Ｉに属する２５６個の発光サイリスタＬが１つの発光チップＣとして構成され、残りの第１の発光素子群Ｉの属する２５６個の発光サイリスタＬと第３の発光素子群ＩＩＩに属する発光サイリスタＬとが１つの発光チップＣとして構成されてもよい。
【００８５】
そして、発光チップＣの配列は、図８（ｂ）と同様である。よって、第３の発光素子群ＩＩＩが含まれる境界部が縮小を行う操作点となり、第２の発光素子群ＩＩが含まれる境界部が拡大を行う操作点となる。なお、すべての境界部を操作点としなくともよい。
【００８６】
図１６（ｂ）、（ｃ）では、主走査幅Ｗ＝３５０ｍｍ、主走査方向の書き出し位置ずれ量ΔＸ＝−０．５ドット、両端での位置ずれの差分が−１ドットとした場合を示している。横軸は、主走査方向の画素（ドット）の位置Ｘ（ｍｍ）である。縦軸は、主走査方向（Ｘ方向）の位置ずれ量（ドット）である。
図１６（ｂ）、（ｃ）において破線で示す補正なしでは、書き出し位置ずれ量ΔＸ＝−０．５ドットによって、Ｘ＝０ｍｍの位置で−０．５ドットずれていて、Ｘ＝３５０ｍｍの位置では、−１．５ドットのずれになる。
【００８７】
図１６（ｂ）に示す補正１では、主走査幅Ｗの中間のＸ＝１７５ｍｍの近傍にある操作点において、１ドット倍率拡大する補正を行っている。その後の位置ずれ量は、破線に平行に変化する。これにより、Ｘ＝３５０ｍｍの位置では、−０．５ドットの位置ずれになる。
しかし、補正１では、位置ずれの幅（絶対値）は１ドットであるが、主走査幅Ｗの中間のＸ＝１７５ｍｍの位置において−１ドットの位置ずれがある。すなわち、位置ずれ量０を基準とすると、Ｘ方向の位置ずれ量は最大−１ドットである。
【００８８】
一方、図１６（ｃ）に示す補正２では、主走査方向の書き出し位置ずれ量ΔＸを加味して、Ｘが小さい位置（例えばＸ＝１０ｍｍ）の近傍における操作点において、１ドット拡大する補正を行っている。その後の位置ずれ量は、破線に平行に変化する。よって、Ｘ＝３５０ｍｍの位置では−０．５ドットの位置ずれとなる。すなわち、位置ずれ量０を基準とすると、Ｘ方向の位置ずれ量は±０．５ドットである。
すなわち、補正２の方が、補正１に比べ、色ずれが小さい。
【００８９】
なお、操作点の近傍は、位置ずれ量が大きいので、操作点の近傍においては画像の形成が行われないことが好ましい。よって、形成される画像の種類に対応させて、補正１と補正２とを使い分けてもよい。
【００９０】
図１７は、位置ずれ補正の他の一例を説明した図である。図１７（ａ）は、発光部６３における発光チップＣの配列を示した図である。図１７（ｂ）、（ｃ）は、位置ずれを補正した例を示した図である。
発光チップＣの基本的な構成は、図１７（ａ）に示すように、図８（ａ）（図１４（ａ））と同様である。そして、発光チップＣの配列は、図１４（ｂ）と同様である。よって、隣接する２個の発光チップＣにおいて、第２の発光素子群ＩＩと第３の発光素子群ＩＩＩとが含まれる境界部が倍率拡大または倍率縮小を行う操作点となる。この構成では、倍率拡大と倍率縮小とが一つの操作点で行えるので、操作点の選択がより容易にできる。なお、すべての境界部を操作点としなくともよい。
この場合であっても、図１７（ｂ）、（ｃ）に示すように、補正１と補正２を行うことができる。これらについては詳細な説明を省略する。
【００９１】
以下では、さらに式を使用して説明する。
ここで、主走査幅Ｗ、操作点の間隔Ｄ、主走査方向の書き出し位置ずれ量ΔＸ（ドット）、補正すべき倍率ΔＭ（ドット）とし、操作点をＮとする。なお、Ｎは、１、２、…、Ｗ／Ｄ−１で表される整数である。例えば、主走査幅Ｗ＝３５２ｍｍ、操作点の間隔Ｄ＝２２ｍｍとすると、Ｎ＝１〜１５となる。
すると、各操作点でのずれ量ΔＬは式（１）で示される。
【００９２】
【数１】
0005866924.tif 000002
【００９３】
ここで、主走査幅Ｗの全領域で、画素（ドット）の位置ずれを±０．５ドット以内に収めるとすると、位置ずれ量が０．５、１．５、２．５、…となる操作点で、１ドットの拡大または縮小の倍率補正を行う必要がある。
例えば、主走査方向の書き出し位置ずれ量ΔＸ＝−０．４ドット、補正すべき倍率ΔＭ＝２ドットの場合、Ｎ＝７の操作点では、ΔＬ＝０．４７５ドットとなる。一方、Ｎ＝８の操作点では、ΔＬ＝０．６ドットとなる。よって、Ｎ＝７の操作点で１ドット縮小する補正が必要となる。
同様に、Ｎ＝１５の操作点では、ΔＬ＝１．４７５ドットとなる。一方、主走査幅Ｗの位置（３５２ｍｍ）では、位置ずれ量が１．６ドットとなる。よって、Ｎ＝１５の操作点で１ドット縮小する補正が必要となる。
すなわち、上記の例では、Ｎ＝７およびＮ＝１５の操作点の２カ所で、１ドット縮小する補正が必要となる。倍率補正すべき操作点の数は、主走査方向の書き出し位置ずれ量ΔＸ（＝−０．４ドット）と補正すべき倍率ΔＭ（＝２ドット）との和の小数点以下を四捨五入した数である２となる。
【００９４】
なお、主走査幅Ｗの全領域で、画素（ドット）の位置ずれを±０．５ドット以内に収める場合において、倍率補正する操作点Ｎは、補正すべき倍率ΔＭ≧０の場合には、式（２）で求めることができる。また、補正すべき倍率ΔＭ＜０の場合には、式（３）で求めることができる。ここで、ｉ＝０、１、２、…である。
【００９５】
【数２】
0005866924.tif 000003
【００９６】
上記の例（ΔＸ＝−０．４、ΔＭ＝２）では、式（２）によって、ｉ＝０のときＮ＝７．２となる。すなわち、Ｎは整数であるので、７．２を超えないＮ＝７において倍率補正すればよい。同様に、ｉ＝１のときＮ＝１５．２となる。すなわち、１５．２を超えないＮ＝１５において倍率補正すればよい。
なお、他の場合であっても同様に計算できる。
【００９７】
上記においては、フォトセンサ２５の数を２個とした。フォトセンサ２５の数を増やすことにより、より細かく位置ずれを補正できる。
【００９８】
また、第１の実施の形態において説明した位置ずれ補正と併用してもよい。このとき、第１の実施の形態で説明した倍率補正を行った操作点を避けて、操作点を設定すればよい。第１の実施の形態で説明した倍率補正を行った操作点は、補正データ記憶部１１１に格納されているデータによって把握することができる。
なお、第１の実施の形態における位置ずれ補正と併用しなくともよい。
【符号の説明】
【００９９】
１…画像形成装置、１０…画像形成プロセス部、１１、１１Ｋ、１１Ｙ、１１Ｍ、１１Ｃ…画像形成ユニット、１２…感光体ドラム、１４…発光素子ヘッド、２１…用紙搬送ベルト、２３…転写ロール、２４…定着器、６４…ロッドレンズアレイ、８１…発光素子アレイ、８２…スイッチ素子アレイ、１００…信号発生回路、１１１…補正データ記憶部、Ｃ１〜Ｃ６０…発光チップ、Ｓ１、Ｓ２、Ｓ３、…、Ｓ６５…転送サイリスタ、Ｌ１、Ｌ２、Ｌ３、…、Ｌ６５…発光サイリスタ
【図１】
0005866924.tif 000004
【図２】
0005866924.tif 000005
【図３】
0005866924.tif 000006
【図４】
0005866924.tif 000007
【図５】
0005866924.tif 000008
【図６】
0005866924.tif 000009
【図７】
0005866924.tif 000010
【図８】
0005866924.tif 000011
【図９】
0005866924.tif 000012
【図１０】
0005866924.tif 000013
【図１１】
0005866924.tif 000014
【図１２】
0005866924.tif 000015
【図１３】
0005866924.tif 000016
【図１４】
0005866924.tif 000017
【図１５】
0005866924.tif 000018
【図１６】
0005866924.tif 000019
【図１７】
0005866924.tif 000020